(57)【特許請求の範囲】
【請求項１】
ほぼ長尺で長方形の平坦な形状の電子装置用差込み型カード（１０）であって、実質的にハーフシェル型構造の上部及び下部ハウジング部品（１２、１３；１１３）を有するハウジング（１１、１１１）と、前記ハウジングに収容され、チップカード（２０）用の接触型装置（２３、１２３）が電気的及び機械的に保持されるプリント回路基板（１６、１１６）と、チップカード（２０）の収容部と、を有し、
チップカード収容部（２１、１２１）が、２つのハウジング部品（１３、１１３）の一方の平坦な面に開口ユニット（２３、１２３）を有し、
前記開口ユニット（２３、１２３）は、前記一方の平坦な面から前記プリント回路基板（１６、１１６）側に向かって傾斜する傾斜部（３０）が形成される凹部を有し、当該傾斜部（３０）の自由端にはチップカード（２０）挿入用のスロット（３１）が形成されるとともに、
前記開口ユニットを有するハウジング部品（１３、１１３）の内側にはチップカード（２０）の挿入方向に幅方向ガイド要素（３６、３７）が配設され、プリント回路基板（１１６）はチップカード（２０）の挿入方向に当該プリント回路基板（１１６）の構成要素によって形成される幅方向ガイド要素（４６−４９）を有する、
電子装置用差込み型カード。
【請求項２】
前記開口ユニット（２３，１２３）がチップカード（２０）の寸法に応じて形成される、請求項１に記載の差込み型カード。
【請求項３】
凹部及び傾斜部（３０）がそれぞれ、深絞りによって該当するハウジング部品（１３、１１３）に形成される、請求項１又は２に記載の差込み型カード。
【請求項４】
傾斜部（１３０）が、切削及び内側への屈曲によって該当するハウジング部品（１１３）に形成される、請求項１に記載の差込み型カード。
【請求項５】
前記チップカード（２０）の挿入方向において傾斜部によって画定された開口スロット（３１、１３１）が、チップカードの断面にほぼ対応する断面を有する、請求項１〜４の１項に記載の差込み型カード。
【請求項６】
前記幅方向ガイド要素が、切り抜かれ内側に屈曲したラグ（３６、３７）によって、該当するハウジング部品（１３）上に形成される、請求項１〜５の１項に記載の差込み型カード。
【請求項７】
前記幅方向ガイド要素が、前記ハウジング部品の内側に装着又は接着された金属又はプラスチック要素によって、該当するハウジング部品（１３）に形成される、請求項１〜５の１項に記載の差込み型カード。
【請求項８】
前記幅方向ガイド要素（３６、３７）が、片側又は両側に設けられる、請求項６又は７に記載の差込み型カード。
【請求項９】
前記ラグ（３６、３７）が、前記チップカード（２０）から離れる方向に屈曲される、請求項６又は８に記載の差込み型カード。
【請求項１０】
前記幅方向ガイド要素が、受動的又は能動的構成要素（４６−４９）によってプリント回路基板（１１６）に形成される、請求項１〜５の１項に記載の差込み型カード。
【請求項１１】
前記幅方向ガイド要素の１つが、遮蔽エンクロージャによって形成される、請求項１〜１０の１項に記載の差込み型カード。
【請求項１２】
挿入エンドストップ（４２、１４２）が設けられる、請求項１〜１１の１項に記載の差込み型カード。
【請求項１３】
前記挿入エンドストップ（１４２）が、切り抜かれ内側に屈曲されたラグ（４３）によって、該当するハウジング部品（１３）に形成される、請求項１２に記載の差込み型カード。
【請求項１４】
前記挿入エンドストップ（１４２）が、前記ハウジング部品の内側に装着又は接着された金属又はプラスチック要素によって、該当するハウジング部品（１３）に形成される、請求項１２に記載の差込み型カード。
【請求項１５】
挿入エンドストップ（１４２）が、受動的又は能動的電気構成要素（５１）によって、プリント回路基板（１１６）に形成される、請求項１２に記載の差込み型カード。
【請求項１６】
該当するハウジング部品（１３、１１３）には、挿入方向に延出する取り出しスロット（３８、３８’）が設けられる、請求項１〜１５の１項に記載の差込み型カード。
【発明の詳細な説明】
【０００１】
本発明は、請求項１の前文の電子装置用差込み型カードに関する。
【０００２】
この種の差込み型カードは、例えば"Personal Computer Memory Card Industry Association" (PCMCIA)の規格に適合するＰＣカードとして、サービスの利用又は該サービスへのアクセスのためにチップカード、例えばＳＩＭカードによるユーザの識別が必要なポータブルコンピュータ（ラップトップ、ノートブックなど）において使用される。このようなサービスとして、クレジットカード、オンラインサービス又は携帯電話ネットワークが挙げられる。
【０００３】
チップカードの収容部が設けられたこのような差込み型カードの場合、ＰＣカードの全体の高さを例えば約５ｍｍ程度に低くすることを考慮する必要があり、さらに、チップカード（ＳＩＭカード）の交換時にＰＣカードは密閉されたままでそれまでと同様に遮蔽(screening）が保たれるべきである。また、ＰＣカードの安定性に悪影響が及ぶべきでなく、チップカードの挿入及び取り出しを出来るだけ簡単にすべきである。最後に、ＰＣカードは出来る限り少ない構成要素数とするべきである。
【０００４】
チップカードの収容部が、差込み型カードに挿入されることができ、また例えばそのヒンジ式カバーにチップカードを差し込み接続される、別個の構成要素である差込み型カードが知られている(ITT Corporation, 1995年パンフレット "CCM plug connectors for chip cards")。この公知の収容部では、全体の高さに問題がある一方、他方ではプラスチックカバーの遮蔽に関する問題もある。
【０００５】
別の公知の差込み型カードでは、チップカードを差込み型カードの端部からすべり込ませるように、収容部がデザインされている。このタイプの差込み型カードのチップカード用端部収容部は、基本的に剛性にとって影響がある端部に切り抜きが形成されるため、差込み型カードの安定性に影響を及ぼす。多くの場合において、このような収容部では縁なしの差込み型カードを必要とし、縁なし差込み型カードでない場合は支持フレームは途中で切断されなければならない。
【０００６】
先願のドイツ特許出願第198 15 549.2号及び第198 46 366.9号では、チップカードのアクセス開口が差込み型カードの金属ハウジングの２つのハウジング部品のうちの一方に設けられ、チップカードを接触型装置に案内するフレームが設けられ、このフレームはプリント回路基板に保持され、別個の部品か又は接触型装置の部品である。この場合、プリント回路基板にスペースを要するため、より高いプリント回路基板の実装密度の必要性に対して不利となる。
【０００７】
したがって、本発明の目的は、チップカードの収容部が差込み型カードの全体の高さにも安定性にも悪影響を及ぼさず、さらに必要なスペースや構成要素数を減少させる、前文に述べたタイプの電子装置用差込み型カードを形成することである。
【０００８】
この目的を達成するために、前文に述べたタイプの電子装置用差込み型カードの場合は、請求項１に述べた特徴を設ける。
【０００９】
本発明の手段によると、チップカード収容部を、差込み型カードの安定性に悪影響を及ぼさずに、また、遮蔽を著しく損なわずに、縁なし差込み型カードだけでなく剛性フレームを有する差込み型カードにも使用することができる。さらに、幅方向ガイド要素が、それ以外の機能を持たないプリント回路基板上の構成要素から形成されないため、プリント回路基板上に必要なスペースを減らすことができる。ガイド要素を、対応するハウジング部品の一部として設けることは、プリント回路基板の高密度実装に何の影響も及ぼさず、このことは、プリント回路基板で既に必要な構成要素を、チップカードをガイドするために使用する場合にも当てはまる。
【００１０】
本発明の他の特徴によると、該当するハウジング部品の開口を、アクセススロットを有するトラフの形状に構成することができる。プリント回路基板上の実装部品の配置にあまり制限されないためより有益な構造が、本発明の更に別の特徴によって形成され、これによると、チップカードのアクセスにあまり垂直方向のスペースを要しない。
【００１１】
請求項３及び４の特徴によって、凹部及び傾斜部それぞれを簡単に形成することができる。請求項５の特徴は、アクセススロットを得るために提供される。請求項６又は７の特徴及びこれに関連した特徴、任意で請求項８及び／又は９の特徴或いは請求項１０及び／又は１１の特徴が、幅方向ガイド要素のさらなる発展において任意で提供される。これによって、チップカードのガイドのためのプリント回路基板上の不要なスペースの要求を防ぐことができる。
【００１２】
取り出しのために行われる手段に応じて、チップカードを、該当するハウジング部品とプリント回路基板、又はハウジング部品とその接触型装置との間に部分的に又は完全に配置することができる。したがって、この挿入を制限するために、請求項１２の特徴によるストップが提供される。請求項１３、１４及び１５の特徴によると、この挿入制限ストップは、チップカードガイド要素と同様に、該当するハウジング部品の適切な手段によって又は既に使用されているプリント回路基板の構成要素によって形成される。ユーザの指のうち１本とチップカードの片面の外部領域との摩擦接触によって、又は尖ったものを請求項１６の特徴の取り出しスロットに入れることによって、取り出しを行う。
【００１３】
本発明のさらなる詳細は以下の説明で明らかとなり、そこでは図面に示された例示的な実施の形態によってさらに詳細に本発明を記述し、説明する。
【００１４】
図１に示すように、また、図１〜４及び図５〜７の例示的な実施の形態によると、電子装置用に設計された差込み型カード１０は、長尺で長方形の非常に平坦な縁無しハウジング１１を有し、このハウジングは、下部金属ハウジング部品１２及び上部金属ハウジング部品１３、１１３からなり、上部金属ハウジング部品は長手方向端部でロックするように下部金属ハウジングに接続可能又は接続される。電子部品に装着されたプリント回路基板１６、１１６及びプリント回路基板１６、１１６の少なくとも一方の横方向端部に配置されプリント回路基板に接続するエッジコネクタ１７、１１７を含むユニット１４、１１４は、２つのハウジング部品１２と１３、１１３との間の定位置に配置され固定される。さらに、差込み型カード１０は、例えば"Personal Computer Memory Card Industry Association" (PCMCIA)の規格に適合するポータブルコンピュータ（ラップトップ、ノートブック）のＰＣカードとして設計された差込み型カードで使用されるＳＩＭカードの形態のチップカード２０を受け取り保持するための装置２１、１２１を有する。
【００１５】
図１〜４の例示的な実施の形態によると、チップカード受け取り装置２１は、上部ハウジング部品１３に開口ユニット２３を有し、また同様に上部ハウジング部品１３にガイドユニット２４を有する。上部ハウジング部品１３に設けられた開口ユニット２３及びガイドユニット２４の領域では、接触型装置２２がプリント回路基板１６上に設けられ、これに装着されている。図２は、接触型装置２２のプリント回路基板１６上の位置を示し、プリント回路基板１６に直接装着又は装てんされる他の電気又は電子部品は示されていない。接触型装置２２は、他にも有するものはあるが、接触子２５を有し、該接触子の上に、図示されないチップカード２０が、挿入位置にあるときにその接触領域が電気的に接触するように載置される。
【００１６】
開口ユニット２３は、例えば深絞りによって上部ハウジング部品の上側２６から上部ハウジング部品１３に圧入された傾斜部３０を有する。プリント回路基板１６に向かって内側に傾斜する傾斜部３０は、この傾斜部と上部ハウジング部品１３の隣接領域によって画定されたスロット３１へと広がる。チップカード挿入方向Ａに平行な側端部は、傾斜部３０の深絞りによって閉じられている。スロット３１の寸法は、チップカード２０の断面寸法にほぼ対応し、閉じた側端部３２と３３の距離は、チップカード２０の幅寸法にほぼ対応する。チップカード２０は、側端部３２及び３３によってこのように傾斜部３０の領域を挿入方向Ａにガイドされる。
【００１７】
図示しない本発明の例示的な実施の形態によると、傾斜部３０は、上部ハウジング部品１３からＵ字型エッジに沿って切り抜かれ、プリント回路基板１６に向かって内側に折り曲げたシート状金属の一部分によって形成される。そのため、側端部は開いている。上部ハウジング部品１３とプリント回路基板１６の間の内側空間へのチップカード２０の通路用のスロットも同じように設けられる。
【００１８】
図示しない本発明のさらなる例示的な実施の形態によると、開口ユニット２３は、上部ハウジング部品１３の上側２６と平行で、チップカード２０の領域にほぼ対応する凹部を有する。この凹部は、挿入方向Ａにおいて前方端部にチップカード用の対応するアクセススロットも有する。
【００１９】
側端部３２、３３の延長上では、ガイドユニット２４は、ほぼ直角に内側に屈曲された打ち抜きラグ３６、３７の形態のガイド要素を、どの場合も少なくとも１つ、例示的な実施の形態では２つ有する。ラグ３６、３７は、上部ハウジング部品１３を切り込むことによって、即ち図４に示すようにラグが互いに離れるように屈曲することによって、打ち抜かれる。したがって、ラグ３６、３７の内面（最初は外面）が制限を設け、この制限に沿ってチップカード２０の長手方向端部が挿入方向Ａにガイドされる。ラグ３６、３７を打ち抜くことによって形成された穴３８、３９は、挿入されたチップカード２０によって覆われる。
【００２０】
挿入方向Ａにおいて、チップカード２０が確実に接触型装置２２上に載るように、チップカード２０の移動を制限する必要がある。これは、例えば上部ハウジング部品１３の連続的なエッジ４１領域によって達成することができる。示される例示的な実施の形態では、エンドストップ４２が設けられ、これは上部ハウジング部品１３の一部でもあるが、ラグ４３として上部ハウジング部品１３から打ち抜かれるか又は切り抜かれて内側へ曲げられている。例示的な実施の形態では、矢印Ａの方向において、ラグ４３が上部ハウジング部品１３から内側へほぼ直角に屈曲されている。
【００２１】
上部ハウジング部品１３上の開口ユニット２３及びエンドストップ４２の配置によって、チップカード２０を差込み型カード１０へと、即ち上部ハウジング部品１３の下に接触動作位置へと深く挿入させたり浅く挿入させたりすることができる。これは、例えば図１に示すように、チップカード２０が、ユーザの指のうち１本とチップカード２０の上側との間の摩擦接触によって反対方向に押出される位矢印Ａの方向に、開口ユニット２３の内側の深い位置にあることを意味する。チップカード２０がもっと深く差込み型カード１０へと挿入されると、例えば、図１の３８’で示され、破線によって示されるように、穴３８、３９の一方を長くすることができ、その結果、穴３８に鉛筆などを挿入することによって、チップカード２０を矢印Ａの方向と反対方向へ押出すことができ、チップカードを上述のように把持し、完全に引出すことができる。
【００２２】
図示しない例示的な実施の形態によると、ガイドユニット２４のガイド要素及び／又はエンドストップ４２が、該当するハウジング部品１３の内側に装着又は接着された金属又はプラスチック要素からなる。
【００２３】
図５〜７に示す本発明の例示的な実施の形態では、上部ハウジング部品１１３には、図１〜４に示した上部ハウジング部品１３の場合と同様に、開口ユニット１２３が設けられている。この例示的な実施の形態では、受動的又は能動的な電子構成要素としてプリント回路基板１１６上に既に設けられている１つ以上の構成要素４６〜４９によって形成されたガイドユニット１２４のデザイン及び位置が、上述の例示的な実施の形態と異なる。例示された実施の形態では、当然分かり易くするために、これらの構成要素４６〜４９のみをプリント回路基板１１６上に示し、高密度に実装されたプリント回路基板１１６の他の構成要素は図示しない。図６に示すように、構成要素４６〜４９は、プリント回路基板１１６に永久的に接続された接触型装置１２２の周囲に配置される。図７に示すように、チップカード２０は、開口ユニット１２３のスロット３１を案内されて通過した後、構成要素４６〜４９の間を案内される。この場合、構成要素４６〜４９の外形が二次的な役割を果たす。これらの構成要素がチップカードを長手方向に案内するようにデザインされた端部領域を有することだけが重要になる。これらの構成要素４６〜４９は、トランジスタ、ダイオード、コンデンサ、レジスタなどによって構成されることができ、与えられた長手方向ガイド機能に適した高さを有する。プリント回路基板１１６上に設けられた遮蔽エンクロージャ（screening enclosure）もこのような構成要素の機能を果たすことができる。
【００２４】
この例示的な実施の形態では、プリント回路基板１１６に既に存在する受動的又は能動的電子構成要素５１によって同様に形成されたエンドストップ１４２も設けられる。
【００２５】
図５〜７に示したこの例示的な実施の形態に設けられた開口ユニット１２３を、図示されていないが第１の例示的な実施の形態で説明した開口ユニットに代えることももちろんできる。
【００２６】
図示しない本発明のさらなる例示的な実施の形態によると、ガイドユニットは、第１の例示的な実施の形態又はそこに図示されていないが説明された例示的な実施の形態のガイドユニット２４の一部と、第２の例示的な実施の形態のガイドユニット１２４の一部を組み合わせて形成される。例えば、チップカードガイドの一方の長手方向側部が上部ハウジング部品１３から打ち抜かれたラグ又はハウジング部品の内側に接着された要素によって形成されるのに対し、チップカードガイドの他方の長手方向側が例えばプリント回路基板１１６上の遮蔽エンクロージャなどの能動的又は受動的電子構成要素によって形成される。この場合、種々の数の打ち抜きラグ、接着要素又は既に使用されている構成要素の種々の組み合わせを選択できることは言うまでもない。
【図面の簡単な説明】
【図１】  本発明の第１の例示的な実施の形態の電子装置用差込み型カードの斜視図を示す。
【図２】  上部ハウジング部品のない、図１の差込み型カードの部分拡大図を示す。
【図３】  図１の差込み型カードの上部ハウジング部品を、上から見た部分拡大図を示す。
【図４】  下から見た図３の上部ハウジング部品を示す。
【図５】  本発明の第２の例示的な実施の形態の電子装置用差込み型カードの上部ハウジング部品を、上から見た部分図を示す。
【図６】  上部ハウジング部品を取り除いた、第２の例示的な実施の形態の差込み型カードの図を示す。
【図７】  チップカードが上部ハウジング部品によって定位置に位置する、図６に対応する図を示す。
【図１】
0004669969.tif 000002
【図２】
0004669969.tif 000003
【図３】
0004669969.tif 000004
【図４】
0004669969.tif 000005
【図５】
0004669969.tif 000006
【図６】
0004669969.tif 000007
【図７】
0004669969.tif 000008